(57)【要約】  認証装置は、アクセス対象物に取り付けられたホログラムラベルであって、鍵情報を表す像を含むホログラムラベルを撮像した画像を取得する入力インターフェースと、前記入力インターフェースにより取得された画像を第１画像とし、前記第１画像と、当該第１画像に含まれる鍵情報とを対応付けて記憶する処理履歴記憶テーブルと、前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定回路と、前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定回路と、を備える。これにより、アクセス対象物のアクセス制御において用いられた画像が、再度、当該アクセス制御において用いられることを抑制することができる認証装置、サーバコンピュータ、認証方法、カメラ付きモバイル、及びコードラベルを提供できる。
2019098272.tif 000002
【特許請求の範囲】
【請求項１】
アクセス対象物に取り付けられたホログラムラベルであって、鍵情報を表す像を含むホログラムラベルを撮像した画像を取得する入力インターフェースと、
前記入力インターフェースにより取得された画像を第１画像とし、前記第１画像と、当該第１画像に含まれる鍵情報とを対応付けて記憶する処理履歴記憶テーブルと、
前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定回路と、
前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定回路と、
を備える認証装置。
【請求項２】
前記入力インターフェースは、前記アクセス対象物に表示された所定のパターンと前記ホログラムラベルとを含むように撮像された画像を取得し、
前記処理決定回路は、前記第２画像における所定のパターンと前記ホログラムラベルとの相対位置と、前記第１画像における所定のパターンと前記ホログラムラベルとの相対位置とを比較した比較結果に基づいて、前記第２画像を用いた処理を実行するか否かを決定する
請求項１に記載の認証装置。
【請求項３】
前記鍵情報は、前記ホログラムラベルが取り付けられたアクセス対象物が設置された場所を示す場所情報である
請求項１に記載の認証装置。
【請求項４】
前記ホログラムラベルの近くに設けられ、自身の位置を示す場所情報を受信して表示するディスプレイを更に備え、
前記入力インターフェースは、前記ディスプレイに表示された場所情報と前記ホログラムラベルとを含むように撮像された画像を取得し、
前記処理決定回路は、前記画像に含まれる場所情報と予め定められた場所情報とが一致しない場合に、前記画像を用いた処理を実行しないと決定する
請求項１から請求項３のいずれか一項に記載の認証装置。
【請求項５】
前記入力インターフェースは、前記画像が取得される際に、当該画像の送信元となる端末装置から前記端末装置の位置を表す位置情報を取得し、
前記情報判定回路は、前記ホログラムラベルの鍵情報が表す場所情報と前記入力インターフェースにより取得された位置情報とが対応するか否かを判定し、
前記処理決定回路は、前記場所情報と前記位置情報とが対応しないと判定された場合に、前記画像を用いた処理を実行しないと決定する
請求項１から請求項４のいずれか一項に記載の認証装置。
【請求項６】
前記処理履歴記憶テーブルは、前記第１画像を基に行われた処理を示す現状情報と前記第１画像とを対応付けて記憶し、
前記処理決定回路は、前記第２画像を取得した際に、当該第２画像の送信元となる端末装置から送信された処理要求と、前記第１画像の前記現状情報が示す処理内容とが一致しない場合に、前記画像を用いた処理を実行すると決定する
請求項１から請求項５のいずれか一項に記載の認証装置。
【請求項７】
前記処理履歴記憶テーブルは、前記第１画像を基に行われた処理を示す現状情報と前記第１画像とを対応付けて記憶し、
前記処理決定回路は、前記第２画像を取得した際に、当該第２画像の送信元となる端末装置から送信された処理要求と、前記第１画像の前記現状情報が示す処理内容とが一致する場合に、前記画像を用いた処理を実行しないと決定する
請求項１から請求項６のいずれか一項に記載の認証装置。
【請求項８】
処理履歴記憶テーブルを備える認証装置の認証方法であって、
鍵情報を表す像を含むアクセス対象物に取り付けられたホログラムラベルを撮像した画像を取得する取得工程と、
処理履歴記憶テーブルに、入力インターフェースにより取得された画像を第１画像とし、前記第１画像と、当該第１画像に含まれる鍵情報とを対応付けて記憶させる工程と、
情報判定回路が、前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定工程と、
処理決定回路が、前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定工程と、
を有する認証方法。
【請求項９】
アクセス対象物に取り付けられたホログラムラベルであって、鍵情報を表す像を含むホログラムラベルを撮像した画像を取得する入力インターフェースと、
前記入力インターフェースにより取得された画像を第１画像とし、前記第１画像と、当該第１画像に含まれる鍵情報とを対応付けて記憶する処理履歴記憶テーブルと、
前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定回路と、
前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定回路と、
を備えるサーバコンピュータ。
【請求項１０】
前記入力インターフェースは、前記アクセス対象物に表示された所定のパターンと前記ホログラムラベルとを含むように撮像された画像を取得し、
前記処理決定回路は、前記第２画像における所定のパターンと前記ホログラムラベルとの相対位置と、前記第１画像における所定のパターンと前記ホログラムラベルとの相対位置とを比較した比較結果に基づいて、前記第２画像を用いた処理を実行するか否かを決定する
請求項９に記載のサーバコンピュータ。
【請求項１１】
前記鍵情報は、前記ホログラムラベルが取り付けられたアクセス対象物が設置された場所を示す場所情報である
請求項９に記載のサーバコンピュータ。
【請求項１２】
前記入力インターフェースは、前記ホログラムラベルの近くに設けられ、自身の位置を示す場所情報を受信して表示するディスプレイに表示された場所情報と前記ホログラムラベルとを含むように撮像された画像を取得し、
前記処理決定回路は、前記画像に含まれる場所情報と予め定められた場所情報とが一致しない場合に、前記画像を用いた処理を実行しないと決定する
請求項９から請求項１１のいずれか一項に記載のサーバコンピュータ。
【請求項１３】
前記入力インターフェースは、前記画像が取得される際に、当該画像の送信元となる端末装置から前記端末装置の位置を表す位置情報を取得し、
前記情報判定回路は、前記ホログラムラベルの鍵情報が表す場所情報と前記入力インターフェースにより取得された位置情報とが対応するか否かを判定し、
前記処理決定回路は、前記場所情報と前記位置情報とが対応しないと判定された場合に、前記画像を用いた処理を実行しないと決定する
請求項９から請求項１２のいずれか一項に記載のサーバコンピュータ。
【請求項１４】
前記処理履歴記憶テーブルは、前記第１画像を基に行われた処理を示す現状情報と前記第１画像とを対応付けて記憶し、
前記処理決定回路は、前記第２画像を取得した際に、当該第２画像の送信元となる端末装置から送信された処理要求と、前記第１画像の前記現状情報が示す処理内容とが一致しない場合に、前記画像を用いた処理を実行すると決定する
請求項９から請求項１３のいずれか一項に記載のサーバコンピュータ。
【請求項１５】
前記処理履歴記憶テーブルは、前記第１画像を基に行われた処理を示す現状情報と前記第１画像とを対応付けて記憶し、
前記処理決定回路は、前記第２画像を取得した際に、当該第２画像の送信元となる端末装置から送信された処理要求と、前記第１画像の前記現状情報が示す処理内容とが一致する場合に、前記画像を用いた処理を実行しないと決定する
請求項９から請求項１４のいずれか一項に記載のサーバコンピュータ。
【請求項１６】
処理履歴記憶テーブルを備えるサーバコンピュータの認証方法であって、
入力インターフェースが、アクセス対象物に取り付けられたホログラムラベルであって、鍵情報を表す像を含むホログラムラベルを撮像した画像を取得する取得工程と、
処理履歴記憶テーブルに、前記入力インターフェースにより取得された画像を第１画像とし、前記第１画像と、当該第１画像に含まれる鍵情報とを対応付けて記憶させる工程と、
情報判定回路が、前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定工程と、
処理決定回路が、前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定工程と、
を有する認証方法。
【請求項１７】
カメラ付きモバイルであって、
鍵情報を表す像を含むアクセス対象物に取り付けられたホログラムラベルを撮像した画像を取得し、
サーバコンピュータと通信し、
入力インターフェースにより取得された画像を第１画像とし、前記第１画像と、当該第１画像に含まれる鍵情報とを対応付けて記憶させる画像を、前記サーバコンピュータの処理履歴記憶テーブルに送信し、
前記サーバコンピュータの情報判定回路によって前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定し、
処理決定回路によって前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行した結果か、拒絶した結果を、取得する、
カメラ付きモバイル。
【請求項１８】
対象物の平坦領域に配置されるコードラベルであり、
ホログラムコードと、
前記ホログラムコードを囲う印刷コードと、
を有し、
前記ホログラムコードと前記印刷コードは、互いに隣接し、又は、互いに部分的にオーバラップし、
前記ホログラムコードは、複数の再生点を有し、
前記ホログラムコードは、ホログラムの再生点の位置として記録され、
前記印刷コードにおいて、前記印刷コードの各データのビットに対応したドットが、色差として２次元配列として記録されている、
コードラベル。
【発明の詳細な説明】
【技術分野】
【０００１】
本発明の実施形態は、認証装置、サーバコンピュータ、認証方法、カメラ付きモバイル、及びコードラベルに関する。
本願は、２０１７年１１月１５日に日本に出願された特願２０１７−２２００１４号に基づき優先権を主張し、その内容をここに援用する。
【背景技術】
【０００２】
アクセス対象物を管理する際に、バーコード等の識別情報を印刷してアクセス対象物に張り付けることが行われている。そして、アクセス対象物に対するシステム上の処理を希望するユーザは、そのバーコード等を撮像して得られた画像をシステム上のサーバコンピュータに送信して希望する処理を要求することで、所望の処理を実行させることができる。
例えば、特許文献１は、スマートフォンのカメラ機能を使って行うスタンプラリーのシステムを開示している。このシステムにおいては、アクセス対象物である指定された場所に掲示された特定のポスターに印刷されたバーコード等を撮像して得られた画像をサーバコンピュータに送信することにより、バーコード等を撮像したユーザがその場所を訪問したことを証明する。
【先行技術文献】
【特許文献】
【０００３】
【特許文献１】日本国特開２００３−４６８３２号公報
【発明の概要】
【発明が解決しようとする課題】
【０００４】
しかしながら、バーコードが撮像された画像が、他のユーザに流通した場合、他のユーザは、アクセス対象物のバーコードを直接撮像していないにも関わらず、アクセス対象物に対するシステム上の処理を要求し、所望の処理を実行させることが可能となってしまう。このため、アクセス対象物の管理上好ましくない事態が発生する恐れがある。【０００５】
本発明は、このような問題に鑑みてなされたもので、その目的は、アクセス対象物のアクセス制御において用いられた画像が、再度、当該アクセス制御において用いられることを抑制することができる認証装置、サーバコンピュータ、認証方法、カメラ付きモバイル、及びコードラベルを提供することである。
【課題を解決するための手段】
【０００６】
本発明の解決手段として、本発明の実施形態は、下記の側面を有する。
各側面は、組合せることができ、組合せはシナジーを実現できる。
また、各側面は、実施形態のフィーチャとも組合せることができ、組合せはシナジーを実現できる。
また、実施形態の各フィーチャは組合せることができ、組合せはシナジーを実現できる。【０００７】
上述した課題を解決するために、本発明の一側面は、アクセス対象物に取り付けられたホログラムラベルであって、鍵情報を表す像を含むホログラムラベルを撮像した画像を取得する入力インターフェースと、前記入力インターフェースにより取得された画像を第１画像とし、前記第１画像と、当該第１画像に含まれる鍵情報とを対応付けて記憶する処理履歴記憶テーブルと、前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定回路と、前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定回路と、を備える認証装置である。
本発明の一側面において、前記入力インターフェースは、前記アクセス対象物に表示された所定のパターンと前記ホログラムラベルとを含むように撮像された画像を取得し、前記処理決定回路は、前記第２画像における所定のパターンと前記ホログラムラベルとの相対位置と、前記第１画像における所定のパターンと前記ホログラムラベルとの相対位置とを比較した比較結果に基づいて、前記第２画像を用いた処理を実行するか否かを決定してもよい。
本発明の一側面において、前記鍵情報は、前記ホログラムラベルが取り付けられたアクセス対象物が設置された場所を示す場所情報であってもよい。
本発明の一側面において、前記ホログラムラベルの近くに設けられ、自身の位置を示す場所情報を受信して表示するディスプレイを更に備え、前記入力インターフェースは、前記ディスプレイに表示された場所情報と前記ホログラムラベルとを含むように撮像された画像を取得し、前記処理決定回路は、前記画像に含まれる場所情報と予め定められた場所情報とが一致しない場合に、前記画像を用いた処理を実行しないと決定してもよい。
本発明の一側面において、前記入力インターフェースは、前記画像が取得される際に、当該画像の送信元となる端末装置から前記端末装置の位置を表す位置情報を取得し、前記情報判定回路は、前記ホログラムラベルの鍵情報が表す場所情報と前記入力インターフェースにより取得された位置情報とが対応するか否かを判定し、前記処理決定回路は、前記場所情報と前記位置情報とが対応しないと判定された場合に、前記画像を用いた処理を実行しないと決定してもよい。
本発明の一側面において、前記処理履歴記憶テーブルは、前記第１画像を基に行われた処理を示す現状情報と前記第１画像とを対応付けて記憶し、前記処理決定回路は、前記第２画像を取得した際に、当該第２画像の送信元となる端末装置から送信された処理要求と、前記第１画像の前記現状情報が示す処理内容とが一致しない場合に、前記画像を用いた処理を実行すると決定してもよい。
本発明の一側面において、前記処理履歴記憶テーブルは、前記第１画像を基に行われた処理を示す現状情報と前記第１画像とを対応付けて記憶し、前記処理決定回路は、前記第２画像を取得した際に、当該第２画像の送信元となる端末装置から送信された処理要求と、前記第１画像の前記現状情報が示す処理内容とが一致する場合に、前記画像を用いた処理を実行しないと決定してもよい。【０００８】
上述した課題を解決するために、本発明の一側面は、処理履歴記憶テーブルを備える認証装置の認証方法であって、鍵情報を表す像を含むアクセス対象物に取り付けられたホログラムラベルを撮像した画像を取得する取得工程と、処理履歴記憶テーブルに、前記入力インターフェースにより取得された画像を第１画像とし、前記第１画像と、当該第１画像に含まれる鍵情報とを対応付けて記憶させる工程と、情報判定回路が、前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定工程と、処理決定回路が、前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定工程と、を有する認証方法である。【０００９】
上述した課題を解決するために、本発明の一側面は、アクセス対象物に取り付けられたホログラムラベルであって、鍵情報を表す像を含むホログラムラベルを撮像した画像を取得する入力インターフェースと、前記入力インターフェースにより取得された画像を第１画像とし、前記第１画像と、当該第１画像に含まれる鍵情報とを対応付けて記憶する処理履歴記憶テーブルと、前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定回路と、前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定回路と、を備えるサーバコンピュータである。
本発明の一側面において、前記入力インターフェースは、前記アクセス対象物に表示された所定のパターンと前記ホログラムラベルとを含むように撮像された画像を取得し、前記処理決定回路は、前記第２画像における所定のパターンと前記ホログラムラベルとの相対位置と、前記第１画像における所定のパターンと前記ホログラムラベルとの相対位置とを比較した比較結果に基づいて、前記第２画像を用いた処理を実行するか否かを決定してもよい。
本発明の一側面において、前記鍵情報は、前記ホログラムラベルが取り付けられたアクセス対象物が設置された場所を示す場所情報であってもよい。
本発明の一側面において、前記入力インターフェースは、前記ホログラムラベルの近くに設けられ、自身の位置を示す場所情報を受信して表示するディスプレイに表示された場所情報と前記ホログラムラベルとを含むように撮像された画像を取得し、前記処理決定回路は、前記画像に含まれる場所情報と予め定められた場所情報とが一致しない場合に、前記画像を用いた処理を実行しないと決定してもよい。
本発明の一側面において、前記入力インターフェースは、前記画像が取得される際に、当該画像の送信元となる端末装置から前記端末装置の位置を表す位置情報を取得し、前記情報判定回路は、前記ホログラムラベルの鍵情報が表す場所情報と前記入力インターフェースにより取得された位置情報とが対応するか否かを判定し、前記処理決定回路は、前記場所情報と前記位置情報とが対応しないと判定された場合に、前記画像を用いた処理を実行しないと決定してもよい。
本発明の一側面において、前記処理履歴記憶テーブルは、前記第１画像を基に行われた処理を示す現状情報と前記第１画像とを対応付けて記憶し、前記処理決定回路は、前記第２画像を取得した際に、当該第２画像の送信元となる端末装置から送信された処理要求と、前記第１画像の前記現状情報が示す処理内容とが一致しない場合に、前記画像を用いた処理を実行すると決定してもよい。
本発明の一側面において、前記処理履歴記憶テーブルは、前記第１画像を基に行われた処理を示す現状情報と前記第１画像とを対応付けて記憶し、前記処理決定回路は、前記第２画像を取得した際に、当該第２画像の送信元となる端末装置から送信された処理要求と、前記第１画像の前記現状情報が示す処理内容とが一致する場合に、前記画像を用いた処理を実行しないと決定してもよい。【００１０】
上述した課題を解決するために、本発明の一側面は、処理履歴記憶テーブルを備えるサーバコンピュータの認証方法であって、入力インターフェースが、アクセス対象物に取り付けられたホログラムラベルであって、鍵情報を表す像を含むホログラムラベルを撮像した画像を取得する取得工程と、処理履歴記憶テーブルに、前記入力インターフェースにより取得された画像を第１画像とし、前記第１画像と、当該第１画像に含まれる鍵情報とを対応付けて記憶させる工程と、情報判定回路が、前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定する情報判定工程と、処理決定回路が、前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行するか否かを決定する処理決定工程と、を有する認証方法である。【００１１】
上述した課題を解決するために、本発明の一側面は、カメラ付きモバイルであって、鍵情報を表す像を含むアクセス対象物に取り付けられたホログラムラベルを撮像した画像を取得し、サーバコンピュータと通信し、入力インターフェースにより取得された画像を第１画像とし、前記第１画像と、当該第１画像に含まれる鍵情報とを対応付けて記憶させる画像を、前記サーバコンピュータの処理履歴記憶テーブルに送信し、前記サーバコンピュータの情報判定回路によって前記第１画像の取得後で前記入力インターフェースにより取得された画像を第２画像とし、前記第２画像に含まれる鍵情報に基づいて前記処理履歴記憶テーブルを参照し、前記第２画像の鍵情報に対応する前記第１画像の鍵情報があるか否かを判定し、処理決定回路によって前記情報判定回路により前記第１画像の鍵情報があると判定された場合に、前記第２画像の特徴データであって前記鍵情報とは異なる特徴データと、前記第１画像の特徴データであって前記鍵情報とは異なる特徴データとを比較した比較結果に基づいて、前記第２画像を用いた処理を実行した結果か、拒絶した結果を、取得する、カメラ付きモバイルである。【００１２】
上述した課題を解決するために、本発明の一側面は、対象物の平坦領域に配置されるコードラベルであり、ホログラムコードと、前記ホログラムコードを囲う印刷コードと、を有する。前記ホログラムコードと前記印刷コードは、互いに隣接し、又は、互いに部分的にオーバラップし、前記ホログラムコードは、複数の再生点を有する。前記ホログラムコードは、ホログラムの再生点の位置として記録されている。前記印刷コードにおいて、前記印刷コードの各データのビットに対応したドットが、色差として２次元配列として記録されている。
【発明の効果】
【００１３】
本発明の側面によれば、アクセス対象物のアクセス制御において用いられた画像が、再度、当該アクセス制御において用いられることを抑制することができる。
【図面の簡単な説明】
【００１４】
【図１】第１の実施形態に係る認証装置１の構成を説明する装置構成図である。
【図２】第１の実施形態に係るホログラムラベル１０とアクセス対象物２０を説明する図である。
【図３】第１の実施形態に係るモバイルデバイス３０の構成を説明するブロック図である。
【図４】第１の実施形態に係るサーバコンピュータ５０の構成を説明するブロック図である。
【図５】第１の実施形態に係る処理履歴記憶テーブル５２０の構成を説明する図である。
【図６】第１の実施形態に係るサーバコンピュータ５０が行う特徴データを抽出する処理を説明する第１図である。
【図７】第１の実施形態に係るサーバコンピュータ５０が行う特徴データを抽出する処理を説明する第２図である。
【図８】第１の実施形態に係るサーバコンピュータ５０の動作を説明するフローチャートである。
【図９】第１の実施形態の変形３を説明する図である。
【図１０】第２の実施形態に係る処理履歴記憶テーブル５２０Ｄの構成を説明する図である。
【図１１】実施形態の変形４を説明する図であって、ホログラム再生像を説明する図である。
【図１２】実施形態の変形４を説明する図であって、ホログラム再生像を生成するホログラムを説明する斜視図である。
【図１３】実施形態の変形５を説明する図であって、再生点光源の集合体を説明する図である。
【図１４Ａ】実施形態の変形７を説明する図であって、視野角度の異なる２つの再生像を再生するホログラムを説明する斜視図である。
【図１４Ｂ】実施形態の変形７を説明する図であって、視野角度の異なる２つの再生像を再生するホログラムを説明する斜視図である。
【図１５Ａ】実施形態の変形７を説明する図であって、計算されたホログラム構造を説明する平面図である。
【図１５Ｂ】実施形態の変形７を説明する図であって、計算されたホログラム構造を説明する平面図である。
【図１６Ａ】実施形態の変形９を説明する図であって、アクセス対象物（表示物、媒体）を説明する断面図である。
【図１６Ｂ】実施形態の変形９を説明する図であって、アクセス対象物（表示物、媒体）を説明する断面図である。
【図１７Ａ】実施形態の変形１０を説明する図であって、表示物が設置される対象物が曲面形状を有している場合におけるホログラム積層体を説明する断面図である。
【図１７Ｂ】実施形態の変形１０を説明する図であって、表示物が設置される対象物が曲面形状を有している場合におけるホログラム積層体を説明する断面図である。
【図１７Ｃ】実施形態の変形１０を説明する図であって、表示物が設置される対象物が曲面形状を有している場合においてホログラム積層体が複数の短冊状の領域に分割された構造を説明する図である。
【図１７Ｄ】実施形態の変形１０を説明する図であって、表示物が設置される対象物が曲面形状を有している場合において、複数の短冊状の領域に分割されたホログラム積層体と、Ｙａｗ軸方向の角度変化との対応関係を説明する図である。
【図１８】実施形態の変形１１を説明する図であって、ホログラムの周囲にＱＲコードの印刷物が示されている写真である。
【発明を実施するための形態】
【００１５】
以下、実施形態に係る認証装置、サーバコンピュータ、及び認証方法を、図面を参照して説明する。
本発明の実施形態では、ホログラムラベルが貼られたアクセス対象物を、カメラ付きモバイルデバイスによりホログラムの画像を取得し、カメラ付きモバイルデバイスのユーザのアカウントに、そのアクセス対象に関連する、特典、権限を付与できる。
複数のアクセス対象物に貼られたホログラムラベルの画像を取得することで、特典や権限を与えることもできる。特典は、特定のブランド、店舗、商品等に関連でき、これらのポイント、ディスカウント等とできる。権限は、物品の貸与、仮想のアイテム、キャクターの付与等である。以下では、特典を与える実施形態として、実施形態１で、スタンプラリーを説明する。権限を与える実施形態として、実施意形態２で、物品のレンタルについて説明する。本発明の実施形態は、特典、権限を付与できるものであれば、スタンプラリー、物品のレンタルに限定されない。
【００１６】
（第１の実施形態）
まず、第１の実施形態について説明する。本実施形態に係る認証装置１（認証装置）は、ホログラムラベルを認証し、処理を実行する。本実施形態では、アクセス対象物に添付されたホログラムラベルを認証することで、スタンプラリーにおけるスタンプを獲得し、ユーザのアカウントに特典を付与する装置とできる。以下の説明では、認証装置１が、スタンプラリーにおけるスタンプの獲得を認証する装置である場合を例として説明する。
【００１７】
図１は、第１の実施形態に係る認証装置１の構成を示す装置構成図である。認証装置１は、ホログラムラベル１０と、アクセス対象物２０と、モバイルデバイス３０、サーバコンピュータ５０とを備えてもよい。
ホログラムラベル１０は、光の干渉で立体画像、特殊な装飾画像、特殊な色の変化等を表現し得る。ホログラムラベル１０は、ホログラムラベル１０を見る角度により互いに異なる画像を表示させる。
ホログラムラベル１０は、鍵情報を含む画像である。ここで、鍵情報は、ユーザが要求する処理を実行するか否かを決定する際の情報、すなわち、認証装置１において、ユーザからの要求を認証するか否かを決定する際の情報である。鍵情報は、ホログラムラベル１０が取り付けられたアクセス対象物２０の識別番号や、アクセス対象物２０が設けられた場所を示す情報等とできる。
ホログラムラベル１０は、鍵情報が埋め込まれたＱＲコード（登録商標）画像とできる（図２参照）。なお、ホログラムラベル１０は、鍵情報が含まれる画像であればよく、ＱＲコード画像に限定されることはない。ホログラムラベル１０は、鍵情報が埋め込まれたバーコードであってもよいし、鍵情報に対応する任意の画像であってもよい。
【００１８】
アクセス対象物２０は、印刷物とできる。印刷物は、ポスター、看板、広告、ボード等とできる。これらは、認証装置１が適用されるスタンプラリーにおいて、ラリーのコース上に設けられたポスター、看板、広告、ボードとできる。アクセス対象物２０には、ホログラムラベル１０が取り付けられる。
【００１９】
アクセス対象物２０は、特定の場所に設置されてもよい。特定の場所とは、店舗、ランドマーク、名所等である。このような特定の場所にアクセス対象物２０を設置することで、客を特定の場所に誘導することができる。アクセス対象物２０は、建造物でもよい。また、アクセス対象物２０は、自然物でもよい。また、アクセス対象物２０は、記念碑でもよい。
【００２０】
モバイルデバイス３０は、モバイル、スマートフォン、タブレット等である。モバイルは、カメラ付きモバイルとできる。モバイルデバイス３０は、通信ネットワーク４０を介してサーバコンピュータ５０と通信する。
カメラ付きモバイルによれば、アクセス対象物２０の前に、カメラ付きモバイルを持ったユーザがアクセスし、対象物２０にアクセスしてアクセス対象物２０の画像を容易に撮影することができる。
モバイルデバイス３０には、スタンプラリー用アプリケーション（以下、専用アプリという）がインストールされたコンピュータとできる。スタンプラリーの参加者は、専用アプリが動作するモバイルデバイス３０で、スタンプラリーにおいて指定された場所に掲示されたポスター等に取り付けられたホログラムラベル１０を撮像する。そして、ユーザは、専用アプリを介し、サーバコンピュータ５０に対して撮像して得られた画像を送信することにより、スタンプを獲得することができる。つまり、ユーザは、専用アプリを介し、サーバコンピュータ５０に対して撮像して得られた画像を送信することにより、特典を付与される。
通信ネットワーク４０は、情報の伝送路である。通信ネットワーク４０は、無線通信の伝送路であってもよく、有線通信であってもよく、無線通信の伝送路及び有線通信の伝送路の組み合わせであってもよい。
【００２１】
サーバコンピュータ５０は、モバイルデバイス３０からのデータに基づいて専用アプリが提供するスタンプラリーのサービスを提供するコンピュータである。
サーバコンピュータ５０は、通信ネットワーク４０を介してサーバコンピュータ５０と通信を行う。サーバコンピュータ５０は、モバイルデバイス３０から、ホログラムラベル１０が撮像された画像を受信し、受信した画像に基づいて、ユーザにスタンプを獲得させる処理を実行するか否かを決定する。ここで、画像に基づいてユーザにスタンプを獲得させる処理は、「画像を用いて行われる処理」の一例である。特に、「画像を用いて、ユーザに特典を付与させる処理」の一例である。
【００２２】
サーバコンピュータ５０は、まず、受信した画像がスタンプラリーに対応する画像であるか否かを判定し、少なくともスタンプラリーに対応する画像である場合に、当該ユーザにスタンプを獲得させる処理を実行する。
また、サーバコンピュータ５０は、受信した画像がスタンプラリーに対応する画像である場合、既に他のユーザによりスタンプの獲得に用いられた画像と同じ画像であるか否かを判定する。判定の結果、いわゆる使い回し画像ではないと判定する場合に、当該ユーザにスタンプを獲得させる処理を実行する。
また、サーバコンピュータ５０は、処理を実行するか否かを決定した結果をモバイルデバイス３０に送信する。
【００２３】
なお、図１では、一つのサーバコンピュータ５０と一つのモバイルデバイス３０とが通信可能に接続された場合を示しているが、一つのサーバコンピュータ５０に対して複数のモバイルデバイス３０が通信可能に接続されてもよいし、複数のサーバコンピュータ５０に対して複数のモバイルデバイス３０が通信可能に接続されてもよい。また、複数のサーバコンピュータ５０に対して一つのモバイルデバイス３０が通信可能に接続されてもよい。
【００２４】
図２は、第１の実施形態に係るホログラムラベル１０とアクセス対象物２０を説明する図である。図２では、ホログラムラベル１０は、ＱＲコードが記録された画像ＱＲ−１である。また、図２では、アクセス対象物２０はポスターなどである。
図２に説明するように、ホログラムラベル１０は、アクセス対象物２０（ポスター）に取り付けられる。また、図２では、画像ＱＲ−１の四隅にマーカＭ（マーカＭ−１〜Ｍ−４）が付されている。マーカＭは、ＡＲ（Ａｕｇｍｅｎｔｅｄ  Ｒｅａｌｉｔｙ、拡張現実）マーカとでき、マーカＭで囲まれた領域に、ホログラムラベル１０があることを説明している。このように、認証装置１においては、ホログラムラベル１０の周囲に、マーカＭを配置してもよい。
【００２５】
また、マーカＭは、印刷インキを印刷して形成できる。インキは、可視インキ、不可視インキまたは、その組み合わせとできる。可視インキは、色インキ、光学可変インキとできる。可視インキは、可視光で検出できる。可視インキの印刷濃度（ＯＤ値）は、１以上３以下の範囲とできる。この範囲であれば、通常のカメラで印刷を検出できる。さらには、２以上、２．５以下の範囲とできる。この範囲であれば、常のカメラで印刷を容易に検出できる。
色インキは、透光性インキ、不透明インキとできる。インキは、グラビアインキ、オフセットインキ、インクジェットインキ、フレキソインキとできる。インクジェットインキは、インクジェットで印刷できるため、個別情報の印刷に適する。また、不透明インキは、下地の印刷を隠蔽することができ、読み取り性を向上できる。色インキは、物体色を示す。物体色は、観察角度や照明の角度によらず、一定の色を示す。そのため、読み取り性が高い。光学可変インキは、パールインキ、磁性インキ等がある。光学可変インキは、観察角度や照明の角度によって、表示色が変化するため偽造耐性が高い。
不可視インキは、蛍光インキ、や赤外吸収インキ等である。これらは、肉眼では視認されず、特殊な光源、特殊なカメラでインキの画像が得られる。そのため、改ざん者にそのインキの存在を気づかれにくい。
可視インキと不可視インキを組合せた場合、マーカＭの読み取り性と、偽造耐性を両立できる。可視インキと不可視インキは混合して混合インキとしてもよい。混合インキは、一度の印刷で可視インキの印刷と不可視インキの印刷を形成できる。
マーカＭは、個別情報とすることもできる。つまりマーカＭは、識別コードとできる。個別情報は、インクジェットインキ等により容易に形成できる。マーカＭが識別コードとし、ホログラムラベルを認証コードとできる。これにより、偽造耐性と識別性を両立できる。
【００２６】
図３は、第１の実施形態に係るモバイルデバイス３０の構成を説明するブロック図である。モバイルデバイス３０は、通信回路３１と、カメラ３２と、ディスプレイ３３と、メモリー３４と、端末コントローラー３５とを備えてもよい。
通信回路３１は、モバイルデバイスに内蔵された通信装置とできる。通信回路３１は、通信ネットワーク４０に接続し、端末コントローラー３５からの指示に基づいてサーバコンピュータ５０に対してデータを送信する。また、通信回路３１は、サーバコンピュータ５０からモバイルデバイス３０に対して送信されたデータを受信する。通信回路３１は、受信したデータを端末コントローラー３５に出力する。
カメラ３２は、モバイルデバイスに内蔵されたカメラでもよい。カメラが内蔵されたモバイルデバイスは、カメラ付きモバイルとできる。カメラ付きモバイルは、カメラが内蔵されたモバイルである。カメラ３２は、ユーザ等の操作に基づいてホログラムラベル１０を撮像し、撮像して得られた画像のデータを端末コントローラー３５に出力する。
ディスプレイ３３は、モバイルデバイスに内蔵されたディスプレイでもよい。ディスプレイ３３は、端末コントローラー３５の指示に基づいて、サーバコンピュータ５０から送信された内容を表示できる。ディスプレイ３３は、タッチパネル等の入力機能を備えたディスプレイであってもよい。ディスプレイ３３は、ユーザ等によるタッチパネル等の操作により入力された情報を取得する。ディスプレイ３３は、取得した入力情報を端末コントローラー３５に出力する。
メモリー３４は、端末コントローラー３５が動作するための各種プログラム、専用アプリ等のアプリケーションプログラム、及び各種データを記憶する。メモリー３４は、ユーザ情報メモリー３３０を備える。ユーザ情報メモリー３３０は、スタンプラリーにおけるユーザＩＤ等のユーザ情報を記憶する。ユーザ情報は、サーバコンピュータ５０に対してスタンプの獲得などを要求する際に、要求元のユーザの識別情報とできる。
【００２７】
端末コントローラー３５は、入力インターフェース３５０と、処理要求データ生成回路３５１と、処理対応結果入力インターフェース３５２と、処理対応結果出力インターフェース３５３とを備える。
入力インターフェース３５０は、カメラ３２により撮像された画像の画像データを取得する。入力インターフェース３５０は、取得した画像データを処理要求データ生成回路３５１に出力する。
また、入力インターフェース３５０は、通信回路３１により受信されたサーバコンピュータ５０からの受信データを取得する。入力インターフェース３５０は、取得した受信データを処理対応結果出力インターフェース３５３に出力する。
【００２８】
処理要求データ生成回路３５１は、サーバコンピュータ５０に対して送信するデータを生成する。
処理要求データ生成回路３５１は、サーバコンピュータ５０に対してスタンプの獲得を要求するデータを作成する。処理要求データ生成回路３５１は、ユーザ情報メモリー３３０を参照し、入力インターフェースからの画像データに、ユーザ情報を付加することにより、サーバコンピュータ５０に対してスタンプの獲得を要求するデータを作成する。処理要求データ生成回路３５１は、作成したデータを通信回路３１に出力する。
【００２９】
処理対応結果出力インターフェース３５３は、サーバコンピュータ５０からの対応結果をディスプレイ３３に表示させる。サーバコンピュータ５０からの対応結果とは、モバイルデバイス３０からのスタンプの獲得を要求するデータに対する対応の結果であり、スタンプの獲得を認証するか否かを示すデータである。処理対応結果出力インターフェース３５３は、通信回路３１により受信された対応結果が含まれるデータを取得し、取得したデータをディスプレイ３３に出力する。
【００３０】
図４は、第１の実施形態に係るサーバコンピュータ５０の構成を説明するブロック図である。サーバコンピュータ５０は、通信回路５１と、メモリー５２と、コントローラー５３とを備える。
通信回路５１は、通信ネットワーク４０に接続し、コントローラー５３の指示に基づいてモバイルデバイス３０に対してデータを送信する。また、通信回路５１は、モバイルデバイス３０からサーバコンピュータ５０に対して送信されたデータを受信する。通信回路５１は、受信したデータを端末コントローラー３５に出力する。
メモリー５２は、コントローラー５３が動作するための各種プログラム、及び各種データを記憶する。メモリー５２は、処理履歴記憶テーブル５２０を記憶する。処理履歴記憶テーブル５２０は、ユーザからのスタンプ獲得などの要求に対して対応した処理の履歴を記憶する。
【００３１】
図５は、第１の実施形態に係る処理履歴記憶テーブル５２０の構成を説明する図である。処理履歴記憶テーブル５２０は、アクセス対象物２０ごとに作成される。
処理履歴記憶テーブル５２０は、タイムスタンプと、ユーザ情報、画像データ、鍵情報、及び処理決定結果の各項目を有する。処理履歴記憶テーブル５２０では、タイムスタンプにモバイルデバイス３０からのデータを受信した時刻が記憶される。また、ユーザ情報には対応するデータに含まれていたユーザ情報が、画像データには対応するデータに含まれていた画像データが、それぞれ記憶される。また、鍵情報には、対応するデータに含まれていた画像データに基づいて、情報判定回路５３１により取得された鍵情報が記憶される。現状情報には、受信したデータに含まれる画像の照合処理の結果が記憶される。処理決定結果において、サーバコンピュータ５０により画像の照合処理を実行することが認められた場合「認証」が記憶され、サーバコンピュータ５０により画像を用いた処理を実行することが認められない場合「非認証」が記憶される。
【００３２】
図４に戻り、コントローラー５３は、入力インターフェース５３０と、情報判定回路５３１と、処理決定回路５３２と、出力インターフェース５３３とを備える。
入力インターフェース５３０は、通信回路５１により受信されたモバイルデバイス３０からの受信データを取得する。入力インターフェース５３０は、取得した受信データを情報判定回路５３１、に出力する。
情報判定回路５３１は、通信回路５１から受信データを取得し、取得した受信データに含まれる画像データに、鍵情報が含まれているか否かを判定する。情報判定回路５３１は、例えば、画像データがＱＲコード画像である場合、ＱＲコードをデコードし、デコードした情報に鍵情報が含まれるか否かを判定する。情報判定回路５３１は、デコードした情報に鍵情報が含まれる場合、取得した画像に鍵情報が含まれていると判定する。
あるいは、情報判定回路５３１は、鍵情報に画像を対応付けた情報メモリー（不図示）を参照し、取得した画像データに対応する画像が情報メモリーに記憶されているか否かを判定してもよい。情報判定回路５３１は、画像データに対応する画像が情報メモリーに記憶されている場合、取得した画像データに鍵情報が含まれていると判定する。
情報判定回路５３１は、画像データに鍵情報が含まれていると判定する場合、鍵情報を画像データに対応付けて処理決定回路５３２に出力する。
【００３３】
処理決定回路５３２は、情報判定回路５３１からの鍵情報及び画像データに基づいて、ユーザにより要求された処理を実行するか否かを決定する。ここで、情報判定回路５３１により鍵情報があると判定された画像は、第２画像である。
処理決定回路５３２は、処理履歴記憶テーブル５２０を参照し、情報判定回路５３１により取得された画像（以下、取得画像という）と同じ鍵情報を含む画像が記憶されているか否かを判定する。
処理決定回路５３２は、処理履歴記憶テーブル５２０に、記憶画像が記憶されている場合、取得画像と記憶画像との両方の画像に含まれる特徴データを抽出する。ここで、画像に含まれる特徴データとは、画像の輝度、色調、撮像された領域に対するホログラムラベル１０の相対位置など、画像の特徴を示すデータである。また、撮影画像から推定された撮影条件も特徴データとできる。また、ホログラムの再生点群の位置のデータとできる。再生点ホログラムラベル１０は、見る角度により互いに異なる画像を表示させることができるため、撮像時の撮像角度や光源の光量などに応じて、撮像毎に画像が変化する。このため、異なるタイミングで撮像された画像が、同じ画像となる確率は極めて低い。処理決定回路５３２は、このようなホログラムラベル１０の性質を利用し、画像から特徴データを抽出することにより、取得画像が使い回された画像でないことを確認する。以下、処理決定回路５３２が、画像から特徴データを抽出する方法について、図６、図７を参照して説明する。
【００３４】
図６は、第１の実施形態に係るサーバコンピュータ５０が行う特徴データを抽出する処理を説明する第２図である。図６（ａ）は、ホログラムラベル１０の表示面と並行な面（図６では、基準面と記載する）に対し、角度α、β、γの各々の角度からモバイルデバイス３０によりホログラムラベル１０が撮像された場合の模式図を示している。図６（ｂ）は、図６（ａ）において角度αで撮像された画像Ｇのイメージを示す。図６（ｃ）は、図６（ａ）において角度βで撮像された画像Ｇのイメージを示す。図６（ｄ）は、図６（ａ）において角度γで撮像された画像Ｇのイメージを示す。なお、図６（ａ）において、マーカＭ−１〜Ｍ−４の各々は、ホログラムラベル１０の重心に対して対象な位置関係に付されている。すなわち、マーカＭ−１〜Ｍ−４の各々は、ホログラムラベル１０の重心から、ホログラムラベル１０の四隅のうち各々が対応する隅の方向に伸ばした直線上の点であり、ホログラムラベル１０の重心からマーカＭ−１〜Ｍ−４までの各距離は互いに等しい距離である。
【００３５】
図６（ａ）の説明のように、モバイルデバイス３０は、ホログラムラベル１０の表示面に対し様々な角度からホログラムラベル１０を撮像する場合が考えられる。モバイルデバイス３０が、角度αでホログラムラベル１０、及びマーカＭを撮像した場合、モバイルデバイス３０からマーカＭ−３、Ｍ−４までの距離は、モバイルデバイス３０からマーカＭ−１、Ｍ−２までの距離と比較して小さくなる。モバイルデバイス３０が、角度βでホログラムラベル１０、及びマーカＭを撮像した場合、モバイルデバイス３０からマーカＭ−３、Ｍ−４までの距離と、モバイルデバイス３０からマーカＭ−１、Ｍ−２までの距離とは等しくなる。モバイルデバイス３０が、角度γでホログラムラベル１０、及びマーカＭを撮像した場合、モバイルデバイス３０からマーカＭ−３、Ｍ−４までの距離は、モバイルデバイス３０からマーカＭ−１、Ｍ−２までの距離と比較して大きくなる。
図６（ｂ）の説明のように、モバイルデバイス３０が角度αで撮像した場合、撮像して得られた画像Ｇは、マーカＭで囲まれた四角形に対し、ホログラムラベル１０がマーカＭ−１、Ｍ−２よりもマーカＭ−３、Ｍ−４に近付いた画像となる。
図６（ｃ）の説明のように、モバイルデバイス３０が角度βで撮像した場合、撮像して得られた画像Ｇは、マーカＭで囲まれた四角形に対し、四角形の重心とホログラムラベル１０重心とが重なる画像となる。
図６（ｄ）の説明のように、モバイルデバイス３０が角度γで撮像した場合、撮像して得られた画像Ｇは、マーカＭで囲まれた四角形に対し、ホログラムラベル１０がマーカＭ−３、Ｍ−４よりもマーカＭ−１、Ｍ−２に近付いた画像となる。
処理決定回路５３２は、図６で説明したような撮像する角度により、撮像して得られた画像が異なる性質を利用して、画像から特徴データを抽出する。
【００３６】
図７は、第１の実施形態に係るサーバコンピュータ５０が行う特徴データを抽出する処理を説明する第１図である。図７は、ホログラムラベル１０、及びマーカＭ（マーカＭ−１〜Ｍ−４）が含まれた画像Ｇを示す。
処理決定回路５３２は、例えば、画像Ｇの特徴データとして、例えば、画像Ｇにあるホログラムラベル１０、及びマーカＭの各々の重心座標を算出する。処理決定回路５３２は、算出した各々の重心座標に基づいて、ホログラムラベル１０の重心座標におけるｘ座標と、マーカＭ−２（又は、マーカＭ−４）の重心座標におけるｘ座標との距離Ｌ−１、及びホログラムラベル１０の重心座標におけるｙ座標と、マーカＭ−１（又は、マーカＭ−２）の重心座標におけるｙ座標との距離Ｌ−２を算出する。
処理決定回路５３２は、取得画像、及び記憶画像の各々について距離Ｌ−１、Ｌ−２を算出する。処理決定回路５３２は、例えば、取得画像における距離Ｌ−１と記憶画像における距離Ｌ−１との差分が所定の範囲未満である場合、又は、取得画像における距離Ｌ−２と記憶画像における距離Ｌ−２との差分が所定の範囲未満である場合に、両画像の特徴データが似ていると判定する。
あるいは、処理決定回路５３２は、取得画像における距離Ｌ−１と記憶画像における距離Ｌ−１との差分が所定の範囲未満であり、且つ、取得画像における距離Ｌ−２と記憶画像における距離Ｌ−２との差分が所定の範囲未満である場合に、両画像の特徴データが似ていると判定するようにしてもよい。
また、取得画像と記憶画像のホログラムの再生点群同士のそれぞれの画像から近接する再生点を検出しその距離の差の２乗平均を画像間の距離とし、その距離が一定以内であれば似ているとすることができる。また、マーカＭからホログラムラベルの撮影位置、撮影方向を推定し、取得画像と記録画像との撮影位置の距離が一定以内であれば似ているとすることができる。取得画像と記録画像との撮影位置の距離は、マーカから容易に推定できる。
【００３７】
図４に戻り、処理決定回路５３２は、取得画像の特徴データと、記憶画像の特徴データとを比較した比較結果に基づいて、取得画像を用いた処理（例えば、ユーザによるスタンプ獲得の要求を認証する処理）を実行するか否かを決定する。処理決定回路５３２は、取得画像の特徴データが、記憶画像の特徴データと似ていないと判定する場合、取得画像を用いた処理を実行する。一方、処理決定回路５３２は、取得画像の特徴データが、記憶画像の特徴データと似ていると判定する場合、取得画像を用いた処理を実行しない。取得画像が、既に処理の実行に用いられた画像の、所謂使い回しであると判定されるためである。
処理決定回路５３２は、取得した受信データに含まれるユーザ情報、画像データ、及び画像データから取得した鍵情報を対応付け、処理決定結果とともに、処理履歴記憶テーブル５２０に記憶させる。
また、処理決定回路５３２は、取得画像を用いた処理を実行するか否かを決定した結果を通信回路５１に出力し、通信回路５１を介してモバイルデバイス３０に結果を通知する。
【００３８】
図８は、第１の実施形態に係るサーバコンピュータ５０の動作を説明するフローチャートである。
まず、サーバコンピュータ５０は、入力インターフェース５３０により、モバイルデバイス３０から送信された画像データを取得する（ステップＳ１０１）。
次に、サーバコンピュータ５０は、情報判定回路５３１により、画像データに鍵情報が含まれているか否かを判定する（ステップＳ１０２）。
画像データに鍵情報が含まれている場合（ステップＳ１０２、ＹＥＳ）、サーバコンピュータ５０は、処理決定回路５３２により、画像データに含まれている鍵情報と同じ鍵情報を持つ画像が、処理履歴記憶テーブル５２０に記憶されているか否かを判定する（ステップＳ１０３）。
画像データに含まれている鍵情報と同じ鍵情報を持つ画像が記憶されていた場合（ステップＳ１０３、ＹＥＳ）、処理決定回路５３２は、情報判定回路５３１から取得した取得画像、及び処理履歴記憶テーブル５２０に記憶されていた記憶画像の特徴データを抽出し、抽出した特徴データが似ているか否かを判定する（ステップＳ１０４）。
両方の画像位の特徴データが似ていないと判定する場合（ステップＳ１０４、ＹＥＳ）、処理決定回路５３２は、画像を用いて行う処理を実行すると決定する（ステップＳ１０５）。そして、処理決定回路５３２は、画像と鍵情報とを対応付けて、処理履歴記憶テーブル５２０に記憶させる（ステップＳ１０６）。
【００３９】
一方、ステップＳ１０４において、両方の画像位の特徴データが似ていると判定する場合（ステップＳ１０４、ＮＯ）、処理決定回路５３２は、画像を用いて行う処理を実行しないと決定する（ステップＳ１０７）。
また、ステップＳ１０３において、画像データが含まれている鍵情報と同じ鍵情報を持つ画像が記憶されていない場合（ステップＳ１０３、ＮＯ）、サーバコンピュータ５０は、ステップＳ１０５の処理を行う。つまり、処理決定回路５３２は、画像を用いて行う処理を実行すると決定し、ユーザ情報等を処理履歴記憶テーブル５２０に記憶させる。
また、ステップＳ１０２において、画像データに鍵情報が含まれていない場合（ステップＳ１０２、ＮＯ）、サーバコンピュータ５０は、画像を用いて行う処理を実行しないと決定する（ステップＳ１０７）。
【００４０】
以上説明したように、第１の実施形態に係る認証装置１は、アクセス対象物２０に取り付けられたホログラムラベル１０であって、鍵情報を表す像を含むホログラムラベル１０を撮像した画像を取得する入力インターフェース５３０と、入力インターフェース５３０により取得された記憶画像（第１画像）とし、当該記憶画像に含まれる鍵情報とを対応付けて記憶する処理履歴記憶テーブル５２０と、記憶画像の取得後で入力インターフェース５３０により取得された画像を取得画像（第２画像）とし、取得画像に含まれる鍵情報に基づいて処理履歴記憶テーブル５２０を参照し、取得画像の鍵情報に対応する記憶画像の鍵情報があるか否かを判定する情報判定回路５３１と、前記情報判定回路５３１により記憶画像の鍵情報があると判定された場合に、取得画像の特徴データであって鍵情報とは異なる特徴データと、記憶画像の特徴データであって鍵情報とは異なる特徴データとを比較した比較結果に基づいて、取得画像を用いた処理を実行するか否かを決定する処理決定回路５３２と、を備える。
これにより、第１の実施形態に係る認証装置１は、情報判定回路５３１により画像に含まれる鍵情報を取得することができ、処理決定回路５３２により鍵情報に基づいて、処理履歴記憶テーブル５２０を参照することで画像が使い回しされていないことを確認することができる。ホログラムラベル１０の画像は、撮像時の撮像角度や光源の光量などにより画像が変化するため、異なるタイミングで撮像された画像が同じ画像となる確率は極めて低い。このため、アクセス対象物２０のアクセス制御において用いられた画像が、再度、当該アクセス制御において用いられることを抑制することができる。
【００４１】
また、第１の実施形態に係る認証装置１では、入力インターフェース５３０は、アクセス対象物２０に表示された所定のパターン（例えば、図２のマーカＭ）とホログラムラベル１０とを含むように撮像された画像を取得し、処理決定回路５３２は、取得画像における所定のパターンとホログラムラベル１０との相対位置（例えば、図７の距離Ｌ−１、Ｌ−２）と、記憶画像における所定のパターンとホログラムラベル１０との相対位置とを比較した比較結果に基づいて、取得画像を用いた処理を実行するか否かを決定する。
これにより、第１の実施形態に係る認証装置１では、処理決定回路５３２は、取得画像と記憶画像との両方の画像のからそれぞれ距離Ｌ−１、Ｌ−２を算出して比較するという簡単な方法により特徴データを抽出することができる。
【００４２】
また、第１の実施形態に係る認証装置１では、鍵情報は、ホログラムラベル１０が取り付けられたアクセス対象物２０が設置された場所を示す場所情報であってもよい。これにより、第１の実施形態に係る認証装置１では、情報判定回路５３１が画像データに含まれる場所情報を取得し、処理決定回路５３２が場所情報に応じて、同じ場所情報を含む記憶画像の有無を判定することができる。
【００４３】
（第１の実施形態の変形１）
次に、第１の実施形態の変形１について、説明する。本変形の認証装置１Ａでは、アクセス対象物２０Ａが、表示装置（不図示）を備える点において、上記第１の実施形態と相違する。また、サーバコンピュータ５０Ａのメモリー５２Ａが、アクセス対象物２０とアクセス対象物２０の設置場所を対応付けた情報を記憶させたアクセス対象情報メモリー（不図示）を備える点において、上記第１の実施形態と相違する。
アクセス対象物２０に備えられた表示装置は、ホログラムラベル１０の近くに設けられ、表示装置自身の位置を示す場所情報を、表示する。表示装置は、ＧＰＳ（Ｇｌｏｂａｌ  Ｐｏｓｉｔｉｏｎｉｎｇ  Ｓｙｓｔｅｍ）衛星からの電波を受信し、受信した電波を解析することにより、表示装置の自身の位置を把握することができる。
モバイルデバイス３０のカメラ３２は、ユーザの操作により、表示装置に表示された場所情報とホログラムラベル１０とを含むように画像を撮像する。また、表示する場所情報は、時間により変化してもよい。これにより、表示画像を流用されることを防止できる。
【００４４】
サーバコンピュータの入力インターフェース５３０は、表示装置に表示された場所情報とホログラムラベル１０とを含む画像を取得し、処理決定回路５３２は、場所情報に基づいてアクセス対象情報メモリーを参照し、画像に含まれる場所情報と対応するアクセス対象物２０の設置場所とが一致しない場合に、その画像を用いた処理を実行しないと決定できる。
これにより、第１の実施形態の変形１の認証装置１Ａでは、アクセス対象物２０、又は、アクセス対象物２０から切り取られたホログラムラベル１０及び表示装置が持ち去られ、別の場所で撮像された画像が取得された場合に、ユーザからの要求を認めない決定を行うことができる。
【００４５】
（第１の実施形態の変形２）
次に、第１の実施形態の変形２について、説明する。本変形の認証装置１Ｂでは、モバイルデバイス３０がＧＰＳ受信機（不図示）を備え、モバイルデバイス３０がサーバコンピュータ５０に対して、モバイルデバイス３０の位置を示す位置情報を送信する点において、上記第１の実施形態と相違する。
本変形では、サーバコンピュータの入力インターフェース５３０は、モバイルデバイス３０から画像データを取得すると、モバイルデバイス３０に対し、撮像時におけるモバイルデバイス３０の位置情報を要求する。入力インターフェース５３０は、位置情報を要求するデータを通信回路５１に出力することにより、通信回路を介して当該要求データを、モバイルデバイス３０に対して送信する。
モバイルデバイス３０は、サーバコンピュータ５０から位置情報を要求するデータを受信すると、対応する位置情報を含むデータを、サーバコンピュータ５０に対して送信する。モバイルデバイス３０は、ＧＰＳ受信機により受信された衛星からの電波に基づいて、位置情報を導出する。
【００４６】
サーバコンピュータの入力インターフェース５３０は、モバイルデバイス３０の位置情報を取得する。入力インターフェース５３０は、取得した位置情報を情報判定回路５３１に出力する。
情報判定回路５３１は、画像データに含まれる鍵情報が表す場所情報と、入力インターフェース５３０により取得されたモバイルデバイス３０の位置情報とが対応するか否かを判定する。情報判定回路５３１は、場所情報が示す位置と位置情報が示す位置との間の距離が所定の閾値未満である場合に、場所情報と位置情報とが対応していると判定する。モバイルデバイス３０がサーバコンピュータ５０から位置情報を要求するデータを受信した時点において、モバイルデバイス３０は、画像を撮像した場所から移動している場合が考えられためである。情報判定回路５３１は、判定結果を処理決定回路５３２に出力する。
処理決定回路５３２は、情報判定回路５３１の判定結果に基づいて、場所情報と位置情報とが対応していない場合、画像を用いた処理を行わないと決定する。
【００４７】
これにより、第１の実施形態の変形２の認証装置１Ｂでは、処理決定回路５３２により場所情報と位置情報とが対応する場合に、画像を用いた処理を行うことができる。このため、第１の実施形態の変形２の認証装置１Ｂでは、取得画像に対応する記憶画像が処理履歴記憶テーブル５２０に記憶されていない場合であっても、ホログラムラベル１０の場所情報に示される位置と、モバイルデバイス３０の位置とがかけ離れており、画像がモバイルデバイス３０により撮像された画像ではないと想定される場合に、画像がユーザ自ら撮像して得られた画像ではないと判断して、ユーザの要求を認めない決定をすることが可能となる。
【００４８】
なお、モバイルデバイス３０がサーバコンピュータ５０から位置情報を要求するデータを受信した時点において、モバイルデバイス３０が画像を撮像した場所から移動してしまう場合を考慮し、本変形において、モバイルデバイス３０は、撮像が行われた時点から所定の時間内に、サーバコンピュータ５０に対して画像を送信するように運用してもよい。また、ホログラムラベル１０の画像が撮像されると、モバイルデバイス３０の専用アプリにて、スタンプが獲得できたか否かを確認させる画面をディスプレイ３３に表示させるようにしてもよい。
また、モバイルデバイス３０により画像が撮像された時に、位置情報を取得し、取得した位置情報を画像に対応付けてメモリー３４に記憶させるようにしてもよい。
【００４９】
（第１の実施形態の変形３）
次に、第１の実施形態の変形３について、説明する。本変形の認証装置１Ｃでは、モバイルデバイス３０に対し、サーバコンピュータ５０から撮像条件を指定する点において、上記第１の実施形態と相違する。
図９は、第１の実施形態の変形３を説明する図である。図９は、サーバコンピュータ５０からの再度の撮像要求の内容がモバイルデバイス３０に表示された表示を説明している。
図９の説明のように、サーバコンピュータ５０は、マーカＭとホログラムラベル１０との相対関係を図示した画像を、テキストメッセージＳと共に表示させる画像データ（以下、誘導データという）を、モバイルデバイス３０に対して送信する。サーバコンピュータ５０は、モバイルデバイス３０が専用アプリを介して撮像するモードに入った場合に、モバイルデバイス３０にたいして誘導データを送信してもよい。
モバイルデバイス３０のディスプレイ３３は、サーバコンピュータ５０から受信した誘導データを、撮像モードの画面に重ねて表示させる。これにより、ユーザは、撮像画面に表示されたガイドに沿って、マーカＭ、及びホログラムラベル１０が重なるように、モバイルデバイス３０を移動させ、サーバコンピュータ５０の指定する撮像条件に合致した画像を容易に撮像することが可能となる。
【００５０】
本変形において、処理決定回路５３２は、サーバコンピュータ５０からモバイルデバイス３０に対して通知した撮像条件に基づく特徴データと、取得画像の特徴データが似ている場合に、画像に基づく処理を実行すると決定するようにしてもよい。これにより、第１の実施形態の変形３の認証装置１Ｃでは、撮像毎に互いに異なる撮像条件を指示することにより、写真の使い回しを抑制することが可能となる。
【００５１】
なお、第１画像と第２画像とは、それぞれ、異なるタイミングで取得され、処理履歴記憶テーブルに記憶され、情報判定回路で取得した画像を判定し、処理決定回路にて認証結果が決定される。第１画像または第２画像を取得するタイミングと認証結果が決定されるタイミングは、５秒以内とできる。さらには、１秒以内とできる。これにより、認証時の使用者のストレスを軽減させることが可能となる。
【００５２】
（第２の実施形態）
次に、第２の実施形態について説明する。本実施形態に係る認証装置１Ｄでは、アクセス対象物２０はレンタル品である点において、上記第１の実施形態と相違する。本実施形態において、レンタル品は、レンタサイクル、レンタル本等である。また、本実施形態において、処理履歴記憶テーブル５２０が、現状情報を記憶する点において、上記第１の実施形態と相違する。つまり、本実施形態では、アクセス対象物２０に関する権限を付与する。
図１０は、第２の実施形態に係る処理履歴記憶テーブル５２０Ｄの構成を説明する図である。処理履歴記憶テーブル５２０Ｄは、現状情報の項目を有する。現状情報には、ユーザから要求されるレンタルの現状を示す情報が記憶される。ユーザからレンタル品の貸出を要求された場合には、現状情報に「貸出」が記憶される。現状情報は、貸出、破損、一部破損、傷有り、修理中等の情報を記録することもできる。
本実施形態では、モバイルデバイス３０は、画像データ等と共に、ユーザが要求する処理である処理要求データをサーバコンピュータ５０に対して送信する。処理要求データは、レンタル品に対する貸出、又は返却のいずれかを要求するデータでもよい。
処理決定回路５３２は、取得画像に含まれる鍵情報に基づいて、対応するアクセス対象物２０の処理履歴記憶テーブル５２０を参照し、アクセス対象物２０の現状情報を取得する。
処理決定回路５３２は、取得した現状情報と、取得画像と共に通知されたユーザの処理要求データとが一致するか否かを判定し、一致する場合にはユーザからの処理要求に対応する処理を行わないと決定する。
これにより、第２の実施形態に係る認証装置１Ｄでは、既に貸出し中のレンタル品に対し、他のユーザ等から貸出の要求を受けた場合に、当該レンタル品の貸出を認証しないように運用することが可能となる。また、あるユーザがレンタル中のレンタサイクルが、駐輪場に停車している最中に、他のユーザがそのレンタサイクルに取り付けられたホログラムラベル１０を撮像して貸出を要求した場合に、そのレンタサイクルが現在貸出中のため、貸出要求を承認しないことを決定することができる。つまり、アクセス対象物２０に関する権限を付与しないことを決定する。
【００５３】
また、処理決定回路５３２は、取得した現状情報と、取得画像と共に通知されたユーザの処理要求データとが一致するか否かを判定し、一致しない場合にはユーザからの処理要求に対応する処理を行なうと決定する。
これにより、第２の実施形態に係る認証装置１Ｄでは、既に貸出し中のレンタル品に対し、返却の要求を受けた場合に、当該レンタル品の返却を認証することが可能となる。第２の実施形態に係る認証装置１Ｄでは、あるユーザがレンタル中のレンタサイクルに対し、他のユーザにより返却の要求がなされた場合であっても、返却要求を認証することが可能である。
【００５４】
なお、上述した実施形態では、認証装置１の機能を実現するための機能部（例えば、入力インターフェース５３０、情報判定回路５３１、処理決定回路５３２、処理履歴記憶テーブル５２０等）を、一つのサーバコンピュータ５０を備える場合で説明したが、これに限定されることはない。他のコンピュータ等によりホログラムを撮像した画像が取得され、取得された画像に基づいて、サーバコンピュータ５０が画像を用いた処理を実行するか否かを決定するようにしてもよい。
【００５５】
（実施形態の変形４）
図１１は、実施形態の変形４を説明する図であって、ホログラム再生像の図である。図１２は、実施形態の変形４を説明する図であって、ホログラム再生像を生成するホログラムの斜視図である。
特に、図１１（ａ）は、ホログラム再生像６０の図であり、図１１（ｂ）及び図１１（ｃ）は、図１１（ａ）のホログラム再生像６０に含まれるホログラム再生像ビット要素群６１（６１ａ、６１ｂ）の図である。図１１（ｂ）で説明されるようなホログラム再生像ビット要素群６１ｂ及び図１１（ｃ）で説明されるようなホログラム再生像ビット要素群６１ｃの各々は、ホログラム再生像単一ビット要素６２（以下、単にビット要素６２と称することがある）を有することができる。
ホログラム再生像６０は、上述したホログラムラベル１０に代えて、本発明に適用することが可能である。
【００５６】
ホログラム再生像６０の２次元コード（ＱＲコード等）を形成する各ビット要素６２の形状は、四角だけでなく、丸や三角、多角形であってもよい。２次元コードとして識別できるのであれば、各ビット要素６２の形状は特に限定されない。
【００５７】
ホログラム再生像６０の２次元コードは、ホログラムラベルとして、空間中の特定の位置に再生されている。各ビット要素６２は、ホログラム再生像６０のビットに対応した空間中の位置の各再生点において再生される。これらビット要素６２がホログラム再生像６０に集まることで、図１１（ａ）〜図１１（ｃ）で説明されるように２次元コードを形成できる。
【００５８】
各再生点は、ホログラムラベルの設置面から離れた位置に再生される。つまり、３次元空間中において各再生点が再生される。具体的に、図１２のように、ホログラム７０が設置されている面をＸＹ面とし、その法線方向をＺ方向とし、ホログラム７０設置面の位置をＺ＝０とした場合、Ｚ≠０となる位置にホログラム再生像６０が再生される。各再生点のホログラムラベルの設置面からの距離は、１ｍｍ以上、５ｃｍ以下の範囲とできる。
【００５９】
（実施形態の変形５）
図１３は、実施形態の変形５を説明する図であって、再生点光源の集合体を説明する図である。上述した変形４の構成に代えて、本発明は、各ビット要素６２が、ホログラムから再生される再生点光源６３の集まりにより形成されてもよい。
【００６０】
各ビット要素６２の再生点における集合によってホログラム再生像が再生されている場合、各ビット要素６２は、再生点光源６３の集まりにより形成され、明るくなる。つまり、明るく示された領域は、２次元コードにおける白の領域に対応する。
一方、各ビット要素６２は、ホログラム再生像以外により形成されてもよい。この場合、各ビット要素６２は、ホログラム構造より再生される再生点を含まないため、２次元コードでの黒の領域に対応する。
【００６１】
各ビット要素６２は、ホログラム再生像として、均一な再生像が単一の大きさで形成されてもよい。または、各ビット要素６２は、ホログラムの複数の再生点光源６３の集まりで形成されてもよい。
【００６２】
ホログラムが計算機ホログラムから成る場合、ホログラム再生像の＋１次光が−１次光より強くてもよい。これにより、ノイズとなる回折光（−１次光、±２次光など）の成分を弱くすることができ、＋１次光のホログラム再生像をより明るくできる。ノイズとなる−１次光の再生することができる。これにより、ホログラム再生像の読取の検出率を向上する。
このようなホログラムは、ブレーズド構造のレリーフホログラムにより実現できる。ブレーズド構造のホログラムは、ホログラムの位相差をホログラムの記録面の各点のレリーフの深さとして記録してある。これは、別名でキノフォームとも言われる。
【００６３】
（実施形態の変形６）
第１画像（ホログラム再生像）および第２画像（ホログラム再生像）を取得する際、特に第２画像を取得する際において、複数のユーザ端末装置から複数の撮影画像がサーバ装置に送信される場合、画像取得のシーケンスにて、画像撮影時の位置や角度を指定してもよい。
こうすることで、同一の撮影角度における撮像によって得られた画像をサーバ装置へ送信することに生じるエラーを低減できることが可能となる。また、予め撮影しておいた画像を流用されることを防止できる。異なる撮影角度、撮影位置で撮影した画像をウェブログ等でアップロードされ、その画像を用いて偽造判定をされるケースを避けることができる。
【００６４】
また、同一撮影画像と判断された後、再度画像取得シーケンスへ戻り、異なる位置、角度にて画像取得を行うことを促す指示を行ってもよい。また、撮影者が多い場合のエラーを低減することも可能になると考えている。
【００６５】
（実施形態の変形７）
図１４Ａ及び図１４Ｂは、実施形態の変形６を説明する図であって、視野角度の異なる２つの再生像を再生するホログラムの斜視図である。図１４Ａは、ホログラム７０の法線方向から＋θ方向からホログラム再生像を観察した場合を説明している。図１４Ｂは、ホログラム７０の法線方向から―θ方向からホログラム再生像を観察した場合を説明している。また、図１４Ａに説明されるようなホログラム再生像６０ａ及び図１４Ｂ説明されるようなホログラム再生像６０ｂは、互いに異なる２次元コードを形成できる。加えて、ホログラム再生像６０ａ、６０ｂの法線方向（Ｚ方向）における再生位置も互いに異なるものとできる。
図１５Ａ及び図１５Ｂは、実施形態の変形７を説明する図であって、計算されたホログラム構造の平面図である。
変形７においては、ホログラム再生像は再生方向により変化する。上述のように、ホログラム再生像は、３次元空間中に再生されている。ホログラム再生像が視認可能な視野角度内において、ホログラム再生像を目視することが可能となっている。
【００６６】
ホログラム再生像が空間中に形成されていることを基本構成としているが、撮影動画中の特徴点を抽出し、その変化量から３次元情報を推定し、ホログラムの再生点を模倣されることを防止できる。利用されることで、３次元再生像を模造される可能性がある。
そこで、図１４Ａから図１５Ｂで説明するように、ホログラム再生像は、ホログラム再生像が視認可能な視野角度内において、再生方向によって異なる再生像を再生するホログラム構造を有してもよい。
これにより、複数の撮影画像から、３次元情報を再構築し、偽造、模造することを防止できる。
【００６７】
図１４Ａ及び図１４Ｂは、２方向で異なるホログラム再生像が形成される場合を示しているが、２方向以上に分割してホログラム再生像が形成されてもよい。なお、ホログラム再生像を２方向以上に再生するホログラム構造は、ホログラム再生像の視野角度を指定し、計算機ホログラムを計算することで得られる。計算されたホログラム構造は、図１５Ａで説明するように１面で形成されてもよい。または、各方向それぞれのホログラム再生像を形成する複数のホログラム構造を計算し、それぞれのホログラム構造を図１５Ｂで説明するように再生方向に応じて分割された複数のセル構造の集合体としてもよい。
【００６８】
図１４Ａ及び図１４Ｂでは、それぞれ異なる２次元コードをホログラム再生像として利用していたが、２次元コードを固定し、その２次元コードを再生する法線方向（Ｚ方向）の位置を変えるだけでもよい。
【００６９】
さらに、図１４Ａ及び図１４Ｂでは、それぞれ異なる２次元コードをホログラム再生像として利用していたが、２次元コードを固定し、その２次元コードの周囲または２次元コード中に、ダミーとなるコードや、装飾用のホログラムを追加してもよい。追加したホログラム再生像点光源の位置や再生モチーフが＋θ、−θ方向それぞれで異なっていてもよい。また、それらその他の再生像点光源を、マーカとしてもよい。マーカは観察角度の算出に利用できる。こうすることで、３次元再生像の模造をより難しくさせることができる。
【００７０】
再生角度θは、０度〜６０度とできる。０〜４５度としてもよい。この範囲であれば、ホログラムの構造が過度に細かくなることを防止できる。さらには、０〜２０度ともできる。この範囲であれば、輝度の高いホログラムとできる。さらには、１０度〜２０度とも設計できる。これにより、読み取りには、寄与しない正反射付近のホログラム構造を除外できるため、ノイズが低減する。計算機ホログラム構造を計算する際に、再生角度情報を指定することで、ホログラムの再生角度を設計できる。
【００７１】
（実施形態の変形８）
上述した認証装置を利用する際、ユーザ端末の使用者と端末のアカウントが一致していることが望ましい。そのため、認証装置を利用する際にログイン処理シーケンスを設けることで、ユーザ端末の使用者と撮影者情報との検証を行うことができる。あるいは、使用者のアカウントを、端末または、サーバ装置内で検証することが可能となる。ここで、検証によれば、使用者のアカウントが正規のものであるかどうかを定めることができる。
【００７２】
なお、ユーザ端末と使用者情報との検証は、ユーザ端末にて実施してもよい。ユーザ端末と使用者、撮影者情報との検証は、生体認証を適用できる。生体認証はユーザや顔認証や指紋認証といった生体認証機能を有するユーザ端末を介して、使用者および撮影者情報との検証を行うことが望ましい。
【００７３】
（実施形態の変形９）
（媒体）
図１６Ａ及び図１６Ｂは、アクセス対象物１２０（１２０Ａ、１２０Ｂ、表示物８０、媒体）を説明する断面図である。
アクセス対象物１２０は、板９６（基材）と、板９６上に設けられた印刷部９５と、印刷部９５に重なるように貼付されたホログラム積層体９０とを備える。
【００７４】
板９６は、印刷体とできる。印刷体は、印刷部９５を備える。印刷体はサイネージとできる。サイネージは、広告とできる。広告は、ポスターや看板、ＰＯＰ広告できる。あるいは、板は、パッケージとしてもよい。板９６の材質は、紙やプラスチックフィルム、金属板、木板とできる。
【００７５】
印刷部９５は、可視可能な印刷インキで印刷により形成できる。インキは、可視インイ、不可視インキとできる。可視インキは、色インキ、光学可変インキとできる。
色インキは、透光性インキ、不透明インキとできる。インキは、グラビアインキ、オフセットインキ、インクジェットインキ、フレキソインキとできる。インクジェットインキは、インクジェットで印刷できるため、個別情報の印刷に適する。また、不透明インキは、下地の印刷を隠蔽することができ、読み取り性を向上できる。色インキは、物体色を示す。物体色は、観察角度や照明の角度によらず、一定の色を示す。そのため、読み取り性が高い。
光学可変インキは、パールインキ、磁性インキ等がある。光学可変インキは、観察角度や照明の角度によって、表示色が変化するため偽造耐性が高い。
不可視インキは、蛍光インキや赤外吸収インキ等である。これらのインキは、肉眼では視認されず、特殊な光源、特殊なカメラでインキの画像が得られる。そのため、改ざん者にそのインキの存在を気づかれにくい。
【００７６】
ホログラム積層体９０は、板９６の表面から板９６の上方に向く方向において、板９６の表面上に、接着層９４、堆積層９３、及びホログラム層９１が順に積層された積層体とできる。ホログラム層９１は、その内部に屈折率差を有する体積ホログラムや、その表面に凹凸構造を有したレリーフホログラムとできる。
ホログラム層９１は、凹凸構造が形成されたエンボス層とできる。エンボス層の凹凸構造は、スタンパを熱圧プレスすることで形成できる。凹凸構造は、エンボス層の表面に形成される。
凹凸構造が形成されたエンボス層の表面は、エンボス面とできる。
エンボス面９２はホログラム再生像を再生できる。ホログラム再生像は、エンボス面９２の回折光等によりホログラム再生像を再生できる。エンボス面上に光を反射する堆積層を形成してもよい。堆積層は、エンボス面全体または、一部を覆うことができる。堆積層は、堆積により形成できる。堆積は、物理堆積、化学堆積とできる。物理堆積は、真空蒸着、スパッタ等が適用できる。化学堆積は、ＣＶＤとできる。堆積層は、金属、酸化ケイ素または、金属化合物とできる。金属は、純金属、または合金とできる。純金属は、アルミ、銀、ニッケル、チタン等とできる。合金は、これらの合金とできる。金属化合物は、金属酸化物、金属フッ化物、金属硫化物とできる。金属酸化物は、酸化チタン、酸化アルミニウムとできる。金属フッ化物は、フッ化マグネシウム、フッ化カルシウム等とできる。金属硫化物は、硫化亜鉛等とできる。エンボス面の一部を覆う堆積層は、堆積した堆積層の一部を、エッチングにより除去することで、形成できる。
【００７７】
接着層９４により、ホログラム積層体９０を板９６へ貼付することができる。接着層９４には、アクリル接着材、ポリエステル接着材、ウレタン接着材等とできる。
さらに、接着層９４とホログラム層９１または堆積層９３との間の接着力を部分的に弱くすることもできる。接着層とホログラム層９１または堆積層９３との間に剥離層を部分的に形成することで接着層と接着力を部分的に弱くすることができる。このように部分的に接着層の接着力を弱めた接着層は、脆性接着層である。脆性接着層により、ホログラム積層体９０をアクセス対象物２０から剥がそうとすると、接着力の弱い部分だけ剥離し、それ以外の部分は、アクセス対象物２０に残るため、ホログラム積層体９０は、破壊される。そのため、ホログラム積層体９０を剥がし、ホログラム積層体９０の再利用することを防ぐことができる。これによりホログラム積層体９０を貼り替える改ざんを防止できる。
これによりアクセス対象物２０とホログラム積層体９０との情報の紐づけ関係を担保することができる。
【００７８】
図１６Ｂのように、ホログラム積層体９０を板９６に貼付した後に、新たに印刷部９５をホログラム層９１上に設けてもよい。ホログラム積層体９０を板９６に張り付けた後に印刷部９５を設けるため、ホログラム積層体９０を剥がす行為をさらに困難にさせる。加えて、ホログラム積層体９０上に形成した印刷部９５と、板９６上に形成した印刷部９５とが連続柄となっている場合、ホログラム積層体９０を剥がす行為をより困難にさせることができる。
【００７９】
このように剥がす行為を難しくさせることは、ホログラム積層体９０を剥がし、剥がされたホログラム積層体９０を別の基材へ張り付けるといった張り替えによる偽造、模造をけん制することができる。
【００８０】
ホログラム積層体９０の堆積層９３の材料は、金属材料とできる。
金属材料は、アルミ、金、銀、銅、プラチナ、ニッケル、クロムとできる。金属材料の堆積層９３は、エンボス面９２からの反射率を向上させる。そのため、再生されるホログラム再生像の明るさをより明るくすることが可能となる。その結果、認証装置においてホログラム再生像の認識がしやすくなる。
【００８１】
図１６Ａ及び図１６Ｂでは、堆積層９３がエンボス面９２に対して部分的に形成されている場合を示している。こうすることで、堆積層９３（反射層）が化学的に処理されて破壊されることを防ぐことが可能となり、偽造、模造を難しくさせることができる。また、堆積層９３による絵柄表現を実現することも可能である。
実際には、堆積層９３はエンボス面９２の前面に形成されてもよい。
【００８２】
堆積層９３の材料は、上述のように金属材料としてもよいが、可視光波長領域にて透明な誘電体材料としてもよい。誘電体材料は、金属酸化物や金属硫化物とできる。金属酸化物は、二酸化ケイ素（ＳｉＯ２）、二酸化チタン（ＴｉＯ２）、酸化ジルコニウム（ＺｒＯ２）、酸化アルミニウム（Ａｌ２Ｏ３）、酸化タンタル（Ｔａ２Ｏ５）とできる。金属硫化物は、硫化亜鉛（ＺｎＳ）等である。エンボス面９２を形成する材料の屈折率と堆積層９３の屈折率とが異なっていれば良い。それぞれの屈折率が異なっている場合、その界面における反射率が向上する。そのため、エンボス面９２により形成されるホログラム再生像が明るくなる。その結果、認証装置において認識しやすくなる。
【００８３】
（実施形態の変形１０）
図１７Ａから図１７Ｄは、表示物８０が設置される対象物１００が曲面形状を有している場合を示している。図１７Ａで説明するホログラム積層体９０においては、図１２、図１４Ａ、図１４Ｂ、図１５Ａ、図１５Ｂのような平面な２次元コードがホログラム再生像として得られる。対象物１００が曲面形状を有する場合、ホログラム再生像として得られる２次元コードの曲面形状も、図１７Ａのように対象物１００の曲面形状に沿って歪む。
一方、図１７Ｂのように、ホログラムを記録する、あるいはホログラム構造を計算する際、対象物１００が有する曲面の曲率半径等が予め分かっている場合、対象物１００の曲面にホログラム積層体９０を貼付してもホログラム再生像を平面とすることができる。
【００８４】
図１７Ｂに説明するように、曲面形状を有する対象物１００においても平坦なホログラム再生像を得ることができる。その手法は、図１７Ｃに説明するようなホログラム構造を配置したものとできる。図１７Ａにおいて、ホログラム再生像６０が曲面形状に沿って歪む理由は、ホログラム積層体９０への光の入射角度が、曲面により変化するためである。
曲面形状の曲率が予め分かっている場合、光の入射角度を推測することができるため、図１７Ｃのようにホログラム積層体９０の領域を短冊状に分割し、領域９１ａ，９１ｂ，９１ｃ，９１ｄ，９１ｅ，９１ｆ，９１ｇのそれぞれに入射角度の違うホログラム積層体９０を配列することで、平坦なホログラム再生像６０を得ることができる。
【００８５】
図１７Ｃでは、ホログラム積層体９０が複数の短冊状の領域９１に分割して形成されている。分割された複数の短冊状の領域９１は、図１７ＤのＹａｗ軸方向の角度変化に対応している。実際の観察角度としては、図１７ＤのＰｉｔｃｈ軸方向の角度変化も起こり得るため、領域９１はセル構造配置のようになっていることが望ましい。
【００８６】
（実施形態の変形１１）
図１８は、実施形態の変形１１を説明する図であって、ホログラムの周囲にＱＲコードの印刷物が示されている写真である。図１８の写真は、ＬＥＤの照明の下、カメラを備えたスマートフォン（モバイルデバイス）で撮影されて得られている。
【００８７】
上述した実施形態における認証装置１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスにより実現されるものであってもよい。また、上記の各回路は、ひとつまたは複数の集積回路により構成することができる。また、集積回路に、プログラムが内蔵されたメモリーを加えてもよい。さらに、集積回路に、抵抗、コンデンサー等の付随チップを加えてもよい。また、コイルを加えてもよい。
【００８８】
以上、この発明の実施形態について図面を参照して詳述してきたが、具体的な構成はこの実施形態に限られるものではなく、この発明の要旨を逸脱しない範囲の設計等も含まれる。
【符号の説明】
【００８９】
１…認証装置、１０…ホログラムラベル、２０…アクセス対象物、３０…モバイルデバイス、４０…通信ネットワーク、５０…サーバコンピュータ、５２０…処理履歴記憶テーブル、５３０…入力インターフェース、５３１…情報判定回路、５３２…処理決定回路。 
【図１】
2019098272.tif 000003
【図２】
2019098272.tif 000004
【図３】
2019098272.tif 000005
【図４】
2019098272.tif 000006
【図５】
2019098272.tif 000007
【図６】
2019098272.tif 000008
【図７】
2019098272.tif 000009
【図８】
2019098272.tif 000010
【図９】
2019098272.tif 000011
【図１０】
2019098272.tif 000012
【図１１】
2019098272.tif 000013
【図１２】
2019098272.tif 000014
【図１３】
2019098272.tif 000015
【図１４Ａ】
2019098272.tif 000016
【図１４Ｂ】
2019098272.tif 000017
【図１５Ａ】
2019098272.tif 000018
【図１５Ｂ】
2019098272.tif 000019
【図１６Ａ】
2019098272.tif 000020
【図１６Ｂ】
2019098272.tif 000021
【図１７Ａ】
2019098272.tif 000022
【図１７Ｂ】
2019098272.tif 000023
【図１７Ｃ】
2019098272.tif 000024
【図１７Ｄ】
2019098272.tif 000025
【図１８】
2019098272.tif 000026
【国際調査報告】
2019098272.tif 000027
2019098272.tif 000028
2019098272.tif 000029
2019098272.tif 000030
2019098272.tif 000031
2019098272.tif 000032
2019098272.tif 000033